(57)【要約】      （修正有）【課題】各運送会社の集配所での手押し用２輪運搬車による荷物の処理時間を大幅に短縮する為の後付け型の足置きローラーボードを提供する。【解決手段】デッキ１の裏面前部には手押し用２輪運搬車の車軸に取り付ける為の回動型の金具２を、中央部両側には手押し用２輪運搬車本体の背もたれ部に引っ掛けるフック５ａ、５ｂを有する弾性ある紐４ａ、４ｂを、裏面後部にはホイール６を支持するトラック７を設けたことを特徴とする。【選択図】図２
0003136711.tif 000002
【実用新案登録請求の範囲】
【請求項１】
既存の手押し用２輪運搬車に、回動型の取り付金具とフックを先端に有する弾性ある紐により容易に後付けが出来ることを特徴とする足置きローラーボード
【考案の詳細な説明】
【技術分野】
【０００１】
本考案は既存の手押し用２輪運搬車による荷物の歩行運搬に費やす時間を短縮する為の足置きローラーボードに関するものである。
【背景技術】
【０００２】
各運送会社の集配所では大型トラックで運んできた荷物を、手押し用２輪運搬車を使い集配所の行き先別に区切られた場所に徒歩で何度も往復して運搬している。また、運搬車全般に関する発明や考案は、荷物を運搬することに関しての改善ばかりで運搬し終わった後の行程に対してはほとんど考えられていない。その改善点の違いを示すことができる１例として、本考案の補助車輪的なものと見た目がよく似ている先行技術文献を下記に示すが使用目的がまったく違うことが確認できる。
【特許文献１】実開昭６１−１０４２７５
【考案の開示】
【考案が解決しようとする課題】
【０００３】
手押し用２輪運搬車で荷物を大型トラックと集配所の行き先別に区切られた場所の間で運搬する時には落下、転倒しないように徒歩で慎重に運ばなければならないが、荷物を降ろした帰りの行程はなるべく早く大型トラックに戻る方が仕事の高率がいいのですが、やはり行きと同じように徒歩で戻っているのが現状で作業時間のロスが大きい。本考案はその時間的ロスを短縮させる為になされたものである。
【課題を解決するための手段】
【０００４】
足を乗せる為のデッキ（１）の、裏面前部には手押し用２輪運搬車（８）の車軸（９）に取り付ける為の回動型の金具（２）を設け、中央部両側には手押し用２輪運搬車（８）本体の背もたれ部（１０ａ）、（１０ｂ）に引っ掛ける為のフック（５ａ）、（５ｂ）を先端に有する弾性ある紐（４ａ）、（４ｂ）を設け、裏面後部にはホイール（６）を支持するトラック（７）を設ける。本考案は以上の構成からなる足置きローラーボードである。
【考案の効果】
【０００５】
荷物の運搬に関して、その片道の行程だけでも足置きローラーボードに乗って移動できることによりかなりの作業時間の短縮が可能になるし、更に少量の荷物、もしくは破損に対して気を使わなくてもよいような荷物の場合には往復で足置きローラーボードに乗って移動できるのではるかに作業効率が上がるうえ、従来の徒歩だけでの作業による疲労も軽減できるので、次のような２次的、３次的な効果も期待できる。
【０００６】
大型トラックの１回の運行は４〜５ケ所の集配所を回ることになるので１ケ所での作業時間が短縮できるということは集配所間の走行にも余裕が生まれ、安全運転、事故減少、燃費節減という効果も大いに期待できる。
【考案を実施するための最良の形態】
【０００７】
以下、本考案をその実施の形態を表す図面を参照しつつ詳しく説明する。
（イ）デッキ（１）の裏面前部に設けた回動型の取り付け金具（２）を既存の手押し用２輪運搬車（８）の車軸（９）にはめ込み、ボルト（３）で止めて、はずれないようにする。
（ロ）デッキ（１）の中央部両側に設けた弾性ある紐（４ａ）、（４ｂ）の先端に取り付けてあるフック（５ａ）、（５ｂ）を手押し用２輪運搬車（８）の背もたれ部（１０ａ）、（１０ｂ）部引っ掛ける
【０００８】
本考案は以上のような３ケ所の簡単な取り付けにより（図１）のように既存のほとんどの手押し用２輪運搬車に使用できる。
【実施例１】
【０００９】
この考案の実施例を（図１）、（図４）、（図５）を用いて説明すると、通常、（図４）のように荷物を運搬する時には足置きローラーボードは使用しないので運搬の邪魔にならないように弾性ある紐の張力により足置きローラーボードは自動的に引き上げられ手押し用２輪運搬車（８）に添う形態で収納、保持される。
【００１０】
手押し用２輪運搬車を使用し、荷物を大型トラックから所定の場所に運搬した後、トラックに戻る時には、まず、手押し用２輪運搬車を手前に傾け足置きローラーボードの後部が手押し用２輪運搬車の背もたれ部から少し離れた状態にし、足置きローラーボードの後部につま先を引っ掛け少し足置きローラーボードを引き下ろした後で足を滑らせ足置きローラーボード全体に載せ、（図５）のような姿勢をとり、足置きローラーボードに載せた足に全体重を掛け、もう一方の足で地面を蹴って進行する。進路変更は手押し用２輪運搬車と足置きローラーボードが回動型の金具により取り付けられているので容易にできる。
【００１１】
トラックに着いて足置きローラーボードから足を降ろせば弾性ある紐の張力で足置きローラーボードは自動的に（図１）のような状態に引き上げられ収納、保持され次の荷物の運搬作業に速やかに移ることができる。
【００１２】
本考案で用いている弾性ある紐の代わりに板ばねやコイルばねを使用する改良案も考えられる。
【図面の簡単な説明】
【００１３】
【図１】本考案を手押し用２輪運搬車に取り付けた状態の斜視図。
【図２】本考案の斜視図。
【図３】本考案の側面図。
【図４】本考案の非使用状態を示す図である。
【図５】本考案の使用状態を示す図である。
【符号の説明】
【００１４】
１  デッキ
２  回動型取り付け金具
３  ボルト
４ａ、４ｂ  弾性ある紐
５ａ、５ｂ  フック
６  ホイール
７  トラック
８  手押し用２輪運搬車
９  車軸
１０ａ、１０ｂ  フック（５ａ）、（５ｂ）を引っ掛ける部位
【図１】
0003136711.tif 000003
【図２】
0003136711.tif 000004
【図３】
0003136711.tif 000005
【図４】
0003136711.tif 000006
【図５】
0003136711.tif 000007
【手続補正書】
【提出日】平成19年6月29日(2007.6.29)
【手続補正１】
【補正対象書類名】実用新案登録請求の範囲
【補正対象項目名】全文
【補正方法】変更
【補正の内容】
【実用新案登録請求の範囲】
【請求項１】
手押し用２輪運搬車に取り付ける、ボードとローラーを有する推進補助具で、片足をボードに載せ、もう一方の足で地面を蹴って前記運搬車を押し進める推進補助具において、ボードの前部に設けた回動型の取り付金具で前記運搬車の車軸にボードを取り付け、ボードの両側面に設けた弾性ある紐により容易に前記運搬車に収納出来ることを特徴とする足置きローラーボード。
【手続補正書】
【提出日】平成19年8月9日(2007.8.9)
【手続補正１】
【補正対象書類名】実用新案登録請求の範囲
【補正対象項目名】全文
【補正方法】変更
【補正の内容】
【実用新案登録請求の範囲】
【請求項１】
手押し用２輪運搬車に取り付ける、ボードとローラーを有し、片足をボードに載せ、もう一方の足で地面を蹴って前記運搬車を押し進める足置きローラーボードにおいて、ボードの前部に設けた回動型の取り付金具で前記運搬車の車軸にボードを取り付け、ボードの両側面に設けた弾性ある紐により容易に前記運搬車に収納出来ることを特徴とする足置きローラーボード。